(57)【特許請求の範囲】
【請求項１】
ビニールハウスにおける開口部の上方に樋を取り付け、
該樋は、ビニールハウスにおける被覆シートを固定するための水平方向の被覆シート固定部材に導水用シートの一縁を固定し、該導水用シートの形状を形状保持手段により略樋状に保持させてなることを特徴とするビニールハウスの雨水流れ込み防止装置。
【請求項２】
前記形状保持手段は略樋状体とし、前記導水用シートは該形状保持手段を内側に抱持し、該導水用シートの他縁を固定手段により該形状保持手段における被覆シートから離れた側の一縁に固定したことを特徴とする請求項１に記載のビニールハウスの雨水流れ込み防止装置。
【請求項３】
前記固定手段は断面略逆Ｕ字状体であることを特徴とする請求項２に記載のビニールハウスの雨水流れ込み防止装置。
【請求項４】
前記樋は、姿勢保持手段により姿勢を保持させたことを特徴とする請求項１〜３のいずれかに記載のビニールハウスの雨水流れ込み防止装置。
【発明の詳細な説明】
【技術分野】
【０００１】
本発明は、ビニールハウスの雨水流れ込み防止装置に関するものであり、例えばビニールハウスの被覆シートを巻き上げて開口部を形成した場合に該開口部から雨水がビニールハウス内に浸入することを防止するようにしたビニールハウスの雨水流れ込み防止装置に係るものである。
【０００２】
本発明において、「ビニールハウス」とは、パイプ等の枠材により形成した支持枠に被覆シートを張着してなる温室をいうものとする。
【０００３】
本発明において、「被覆シート」とは、ポリ塩化ビニル等の合成樹脂により形成された被覆用のシートないしフィルムをいうものとする。
【背景技術】
【０００４】
夏季等の高温時には、ビニールハウスに開口部を形成する必要がある。
【０００５】
ビニールハウスに開口部を形成する際には、一般に、ビニールハウスにおける被覆シートの一部を巻き上げることにより該開口部を形成している。
【０００６】
即ち、図５に示すように、ビニールハウスの被覆シート１を、巻き上げハンドル３を回転させることにより、巻き上げて開口部５を形成するのである。
【０００７】
しかして、図５に示すように、ビニールハウスの屋根部分に降った雨水６は被覆シートを伝ってビニールハウスの両側に流れ落ち、被覆シート１のロール状巻取り部１ａと被覆シート１との間の谷部７に溜まり、やがてロール状巻取り部１ａの周囲に沿って巻き込むようにビニールハウス内に流れ落ちる。
【０００８】
雨水がビニールハウス内の開口部５近傍の植え付け床に流れ込むと、その床土が過湿状態になり、当該植え付け床の作物が酸欠による生育異常を起こし、生産性が大幅に低下する。
【０００９】
ビニールハウスの開口部から雨水がビニールハウス内に浸入することを防止するために、一般に次のような手法が行われている。
【００１０】
（イ）降雨開始時に速やかに開口部を閉じることにより雨水がビニールハウス内に浸入することを防止する。
【００１１】
しかるに、この手法においては、作業者がビニールハウスの近傍に居合わせないときや、深夜等に降雨が始まったときには、ビニールハウスの開口部を適時に閉じることができないため、ビニールハウスの開口部からビニールハウス内に雨水が流れ込むことになる。
【００１２】
（ロ）ビニールハウスの開口部にネットを張設する。
【００１３】
しかるに、この手法においては、ビニールハウスの開口部からビニールハウス内に流れ込む雨水の量は若干減少するものの、雨水の流れ込みを防止することはできない。
【００１４】
（ハ）ビニールハウスの被覆シートを巻き付ける水平方向のパイプとビニールハウスの垂直方向のパイプとの間に物を挟むことにより、水平方向のパイプに巻き付けたロール状の被覆シートを開口部から突出させる。
【００１５】
しかるに、この手法においては、小雨の場合には一応の効果は見られるものの、通常の降雨の場合には雨水の流れ込みを防止することはできない。
【００１６】
このような状況の下で、特開２００４−３１３１４２号公報は、ビニールハウスの雨水集水装置を提案している。
【００１７】
特開２００４−３１３１４２号公報に示すビニールハウスの雨水集水装置（以下「従来のビニールハウスの雨水集水装置」という。）は、集水樋を支持する一対の締め付けネジの先端にそれぞれ締め付け板を取り付け、一対の締め付け板を被覆シートを介して上下方向の構造パイプに挟着した状態で各締め付けネジを締め付けることにより、集水樋をビニールハウスに取り付けるようにしたものである。
【００１８】
従来のビニールハウスの雨水集水装置をビニールハウスにおける開口部の上方に取り付けたときには、該開口部から雨水がビニールハウス内に浸入することを防止することが可能である。
【特許文献１】特開２００４−３１３１４２号公報
【発明の開示】
【発明が解決しようとする課題】
【００１９】
しかるに、上記従来のビニールハウスの雨水集水装置においては、締め付け板により構造パイプの表面に圧接される被覆シートが損傷するおそれがある。
【００２０】
また、上記従来のビニールハウスの雨水集水装置においては、集水樋をビニールハウスに取り付ける作業が面倒である。
【００２１】
本発明は、上記従来のビニールハウスの雨水集水装置における上述の如き問題を有しないビニールハウスの雨水流れ込み防止装置を提供しようとしてなされたものである。
【００２２】
即ち、本発明は、被覆シートを損傷することなく、かつ、取付用の冶具等を用意することなくビニールハウスに容易に取り付けることができる安価なビニールハウスの雨水流れ込み防止装置を提供するものである。
【課題を解決するための手段】
【００２３】
上記課題を解決するために、本発明は下記のビニールハウスの雨水流れ込み防止装置を提供する。
【００２４】
（１）ビニールハウスにおける開口部の上方に樋を取り付け、
該樋は、ビニールハウスにおける被覆シートを固定するための水平方向の被覆シート固定部材に導水用シートの一縁を固定し、該導水用シートの形状を形状保持手段により略樋状に保持させてなることを特徴とするビニールハウスの雨水流れ込み防止装置（請求項１）。
【００２５】
（２）前記形状保持手段は略樋状体とし、前記導水用シートは該形状保持手段を内側に抱持し、該導水用シートの他縁を固定手段により該形状保持手段における被覆シートから離れた側の一縁に固定する（請求項２）。
【００２６】
（３）前記固定手段は断面略逆Ｕ字状体である（請求項３）。
【００２７】
（４）前記樋は、姿勢保持手段により姿勢を保持させる（請求項４）。
【００２８】
［発明の作用］
［請求項１の発明］
ビニールハウスにおける屋根部等に降った雨水はビニールハウスの被覆シートに沿って流下し、開口部上方の樋内に流入する。従って、雨水がビニールハウス内に流れ込むことが防止される。
【００２９】
導水用シートは形状保持手段により略樋状に保持され、建物の雨樋と同様に雨水を受ける。形状保持手段は、風が吹いているときでも、導水用シートの形状を略樋状に保持する。
【００３０】
［請求項２の発明］
形状保持手段は、略樋状体であるが、形状保持手段は必ずしも導水作用をなす必要はない。導水作用は形状保持手段により略樋状に保持された導水シートにより行われる。
【００３１】
［請求項３の発明］
断面略逆Ｕ字状体である固定手段は、形状保持手段における被覆シートから離れた側の一縁に上方から嵌着することにより、導水用シートの他縁を形状保持手段の当該一縁に固定する。
【００３２】
［請求項４の発明］
樋は、姿勢保持手段により、開口側を上方に向けた所定の姿勢に保持される。
【発明の効果】
【００３３】
本発明における樋は、ビニールハウスにおける被覆シートを固定するための水平方向の被覆シート固定部材に導水用シートの一縁を固定し、該導水用シートの形状を形状保持手段により略樋状に保持させてなるものであるため、被覆シートを損傷することなく、かつ、取付用の冶具等を用意することなくビニールハウスに容易に取り付けることができる。
【００３４】
また、本発明によるビニールハウスの雨水流れ込み防止装置は、極めて安価に提供することができる。
【００３５】
本発明によれば、ビニールハウスに降った雨水は樋により受け止められ、ビニールハウスの内部への雨水の流れ込みが効果的に防止されるため、ビニールハウスの内部の湿地化が防止される。また、ビニールハウス近傍の地面への雨水の流下が防止されることにより、ビニールハウス近傍の湿地化も防止される。
【００３６】
本発明によれば、ビニールハウスの内部への雨水の流れ込みが効果的に防止される結果、暖期、暑期の降雨時でもビニールハウスの開口部を開放しておくことができ、作物の蒸れという生産者の悩みが解消され、生産性の大幅な向上が期待できる。
【発明を実施するための最良の形態】
【００３７】
符号１１に示すものはビニールハウス、符号５に示すものはビニールハウス１における開口部である。ビニールハウス１１は、一例として、カマボコ型とする。
【００３８】
開口部５は、一例として、ビニールハウス１１における被覆シート１の一部を巻き上げることにより形成する。
【００３９】
即ち、図５に示すように、被覆シート１の下縁を水平方向のパイプ８に巻き付け、巻き上げハンドル３を用いて該パイプ８を回転させることにより被覆シート１を巻き上げて開口部５を形成するのである。符号９に示すものは、開口部５の下縁に配設された水平方向のパイプである。
【００４０】
ビニールハウス１１における開口部５の上方に樋１３を取り付ける。
【００４１】
樋１３は、ビニールハウス１１における被覆シート１を固定するための水平方向の被覆シート固定部材１５に導水用シート１７の一縁１７aを固定し、該導水用シート１７の形状を形状保持手段１９により略樋状に保持させてなるものである。
【００４２】
図示の事例においては、導水用シート１７の一縁１７aは被覆シート１と共に押さえバネ１８により被覆シート固定部材１５に固定されている。
【００４３】
水平方向の被覆シート固定部材１５は、好ましくは、ビニールハウス１１における肩部に配設されたものを使用する。
【００４４】
導水用シート１７は、好ましくは被覆シート１と同様なものであって、ポリ塩化ビニル等の合成樹脂により形成されたシートないしフィルムである。
【００４５】
好ましくは、形状保持手段１９は略樋状体とし、導水用シート１７は該形状保持手段１９を内側に抱持し、該導水用シート１７の他縁１７ｂを固定手段２０により該形状保持手段１９における被覆シート１から離れた側の一縁１９ａに固定している。
【００４６】
固定手段２０は、一例として、断面略逆Ｕ字状体とする。
【００４７】
図４に示す事例においては、略樋状体の形状保持手段１９における少なくとも被覆シート１から離れた側の一縁１９ａを該形状保持手段１９の内側に折り曲げて折曲部１９ｂを形成し、導水用シート１７の他縁１７ｂを該折曲部１９ｂ上に折り返し、断面略逆Ｕ字状体の固定手段２０を導水用シート１７の他縁１７ｂを介して形状保持手段１９の折曲部１９ｂ上に嵌着している。
【００４８】
形状保持手段１９は、金属、合成樹脂等その材料の如何を問わない。また、形状保持手段１９は、導水作用をなす必要がないため、例えば網状体であっても差し支えない。
【００４９】
樋１３は、姿勢保持手段２１により開口側を上方に向けた所定の姿勢に保持させることが望ましい。
【００５０】
姿勢保持手段２１としては、好ましくは、被覆シート１の巻き上げ装置を有するビニールハウス１１に風等による被覆シート１のバタつき防止のために常設されている紐状体を用いる。即ち、この姿勢保持手段２１はその上端２１ａを取付具２３を介して樋１３上方の前記被覆シート固定部材１５に固定し、姿勢保持手段２１の下端２１ｂを取付具２５を介して樋１３下方の別の被覆シート固定部材２７に固定し、該姿勢保持手段２１により樋１３を押さえさせるようになす。
【００５１】
樋１３は、雨水が流れやすいようにするために、長さ方向に若干傾斜させた状態で配設する。なお、符号２９に示すものはビニールハウス１１の上下方向のパイプである。
【００５２】
カマボコ型のビニールハウスを複数棟連設してなる連棟ハウスの場合には、谷部分の開口部上方にも上記と同様の雨水流れ込み防止装置を配設することができる。
【図面の簡単な説明】
【００５３】
【図１】ビニールハウスの雨水流れ込み防止装置の一例を示す斜視図である。
【図２】同上雨水流れ込み防止装置を示す断面図である。
【図３】被覆シート固定部材の一例を示す正面図である。
【図４】形状保持手段の一例を示す側面図である。
【図５】開口部の一例を示す側面図である。
【符号の説明】
【００５４】
１  被覆シート
１ａ  ロール状巻取り部
３  巻き上げハンドル
５  開口部
６  雨水
７  谷部
８  パイプ
９  パイプ
１１  ビニールハウス
１３  樋
１５  被覆シート固定部材
１７  導水用シート
１７ａ  一縁
１７ｂ  他縁
１８  押さえバネ
１９  形状保持手段
１９ａ  一縁
１９ｂ  折曲部
２０  固定手段
２１  姿勢保持手段
２１ａ  上端
２１ｂ  下端
２３  取付具
２５  取付具
２７  被覆シート固定部材
２９  パイプ
【図１】
0004591971.tif 000002
【図２】
0004591971.tif 000003
【図３】
0004591971.tif 000004
【図４】
0004591971.tif 000005
【図５】
0004591971.tif 000006